(57)【要約】      （修正有）【課題】  従来のテープカッターには、袋閉じ機能（袋をねじった細い所に貼る）はなかった。それ専用のテープカッターを買うほどではないが、使いたい時はある。そういう要求にそくしたテープカッターはなかった。あるいは、結構使用機会はあるが、それ専用のものは高価である。【解決手段】  従来のテープカッターとして使用出来、必要時には袋閉じ用として使用出来る、両用のテープカッターを考えた。構造は、従来品に独自の可動テープ受けを追加した単純な構造ですので、扱い易く、又、安価での提供が可能である。開封用のテープ切り口作成機能もつけたので、機能は充実している。また、テープ接着後、元の位置に引き戻すので、接着箇所以外は大きくても問題ありません。テープ可動部分がショックを吸収するので、薄いテープも使用可能である。【選択図】    図１３
2006213517.tif 000002
【特許請求の範囲】
【請求項１】
［図６］のテープ可動受けのＡは、接着面が上を向いたテープを保持します。
テープ貫通によるテープ保持機能を特許請求します。
【請求項２】
［図６］のテープ可動受けは、図１３のＡに図解するように、被接着物を接着すべく上から下に押し下げると、図６Ｄ、あるいは図１３Ｉを基点として回転し、テープに損傷を与えるショックを和らげるとともに、被接着物を接着方向へと送り出します。
その構造および機能を特許請求します。
【請求項３】
［図１０］のカッターは（図解  図１３Ｄ）で、非接着に接着した部分（あるいはテープだけの部分）に押し当てる事により、開封用のカット面を作成出来ます。
刃全部を押し当てず、左右のどちらかの方だけ使用すれば、切れ過ぎず強度も保てます。
その押し当て開封用カット面作成機能及び構造を特許請求します。
【請求項４】
図８（図解  図１３のＥ）は、請求項３の作業で押し当てを行う際の指支持板です。これに人指し指をかけると、親指による押し当てが、強固で、スムースに行えます。
その支持機能及び構造を特許請求します。
【発明の詳細な説明】
【技術分野】
【０００１】本発明は、主にポリ袋等の袋閉じ用に使用するテープカッターです。（袋をねじった細い所に貼る）
［背景技術］
一般に普及しているテープカッターに、上記機能を追加しました。
［発明の開示］
［発明が解決しようとする課題］【０００２】従来は、通常使用目的のテープカッターと袋閉じ用に使用するテープカッターは、明確に分けて使われていました。袋閉じ用に使用するテープカッターは業務用で使用され、普通は目にしません。一般の人が袋閉じ用に使用する事が無い訳ではないが、袋閉じ用に使用するテープカッターを購入するほどは必要は無いという状況だと思います。
通常使用目的のテープカッターと袋閉じ専用のテープカッターの中間に位置するテープカッター、それが従来品にはありませんでした。
［課題を解決するための手段］【０００３】  通常使用目的のテープカッターと袋閉じ専用のテープカッターの中間に位置するテープカッターなので、両方に使用できるようにしました。
通常使用専用で使用する機能を基本形態とします。接着面を下に向けてセットします。それに、通常使用と袋閉じの両方が出来る機能を追加しました。
［発明を実施する為の最良の形態］【０００４】図１２の本体のＡは図５です。図２のＡに木ねじ止めされています。この四角の四つの頂点がテープの内径を保持します。
片面にマジックテープが貼り付けてあり、図４の閉じ板を保持します。（図１２のＢです。）【０００５】図１２Ｃは図９のカット刃で、この部分でテープをカットします。
図１２Ｄは、図６で、そのカットしたテープを、保持します。
通常使用の場合は必要ありませんが、袋閉じ用に使用する場合は接着面が上向きなので、どこかに接着させることが出来ません。
それで、この先端にある針状金具で、貫通保持します。
図１２のＤは、図１２のＥを基点にして円回転します。図１３のＡに矢印方向のように下に向けて被接着物を押し下げると、図１２のＤは図１３のＢのように半円回転します。そして図１３のＡを、図１３Ａ２のように後方下に位置移動させます。
図１２のＤは、図１２のＦ（図１１）が柔軟で弱めなバネなのでテープを切らす事無く、自らが可動します。【０００６】図１２のＤは、図１３のＢ２に移動した時、親指でテープを送り出す好位置になっています。そこで、テープを図１３Ｂ３に移動させると、テープが接着されます。その時点で図１２のＤは、テープから離れ、図１２のＦのバネ力により、元の位置に戻ります。【０００７】図１２のＧは図１０で、図１２のＨは図８です。
図１３のＡ２は、図１３のＤに押し当てることにより、テープに切り取り用のカット面を作成できます。（必要時使用）
図１３のＥは、その押し当て時に指の支えになります。これにより、押し当てが楽になります。【０００８】貼り作業が終わりましたら、図１３ＦをＧまで引き戻しカットします。
［発明の効果］
テープの確実な保持
袋閉じにも使用したいがそれ専用のテープカッターを買うほどでも無いと言う使用層には、両方使用できるので便利です。
単純構造
構造が単純なので、安価です。
従来品に可動するテープ受けを追加した程度ですので、量産時には低価格になると思います。
コスト削減
前部テープ保持部が可動しますのでテープが切れません。その引き力は極めて小さく、薄いテープにも使用できます。切り取り用カット面も作成出来ますが、薄いテープを使用した場合は、その必要も無く無駄なコストを削減できます。
切り取り用カット面作成可能
切り取り用カット面が簡単に作成出来ます。被接着物に接着した所にカット面を作成した場合は、思った以上に効果的です。関係無い手元部分が切れる事無く、必要な箇所が開くからです。
作業が簡単
一連の作業動作は簡単です。被接着物を押して、セロテープを指で押し当て、引き戻すの３連の動作で出来ます。無理な動きはありませんので、時間はかかりません。
大きなものも可能です。
接着は、テープの接着面同士が接着した後、元の位置に引き戻します。テープカッター内に留まるタイプで、接着後テープが上を覆う場合は、少なくとも被接着物の片側が小さくないとテープカッター内部から、被接着物を引き抜けませんが、提案品は、外に引き出すタイプですので、接着箇所以外の所が大きくても使用出来ます。
【図面の簡単な説明】［図１］カッター本体メインフレーム
［図２］カッター本体側板Ａ
［図３］カッター本体側板Ｂ
［図４］カッター本体側板Ｃ
［図５］テープ本体受け
［図６］テープ先端受け
［図７］本体用アングル
［図８］小アングル
［図９］テープカット用刃
［図１０］開封用カット面作成用刃
［図１１］スプリング
［図１２］組み立て図
［図１３］テープカッター可動図
図１は本体の中央部フレーム図です。
図２は本体のメイン側板です。図５のテープ本体受けを木ねじで接着します。
図３は、本体の側板で、図２の反対側用です。
図４は、本体の側板で、図２の反対側の後部用です。図５のテープ本体受けにテープを設置した後、これで蓋をします。
図５には、マジックテープのオス面、図４にはマジックテープのメス面が接着されていますので、二つは接着します。
図６には３パイの穴が貫通しています。その中を２パイのパイプが貫通し、図２、図３の本体側板最前部にある３パイの穴がそのパイプを保持します。
図６のテープ可動受けは、テープがその先端から離れた時、元の位置に戻りますが、その為のスプリングが、図１１です。
図７は、本体側板の底部にねじ止めします。本体の安定用です。
この部分を机等にテープで固定するか、ねじ止めするか、あるいは、錘の着いた板に固定します。
図１３は、使用時の動作説明図です。
【図１】
2006213517.tif 000003
【図２】
2006213517.tif 000004
【図３】
2006213517.tif 000005
【図４】
2006213517.tif 000006
【図５】
2006213517.tif 000007
【図６】
2006213517.tif 000008
【図７】
2006213517.tif 000009
【図８】
2006213517.tif 000010
【図９】
2006213517.tif 000011
【図１０】
2006213517.tif 000012
【図１１】
2006213517.tif 000013
【図１２】
2006213517.tif 000014
【図１３】
2006213517.tif 000015